(57)【特許請求の範囲】
【請求項１】
支持体（２００）を含む時計要素の真用緩衝器装置（１００）であり、前記支持体は、周囲リム（２０３）が上方に存在するベースカップ（２０１）を含み、前記周囲リム（２０３）を、前記ベースカップの反対側で、上面（２１３）によって画定し、前記周囲リム（２０３）は、外壁（２１４）を含み、前記ベースカップ（２０１）と前記周囲リム（２０３）とで合わせて、ハウジング（２０６）を形成し、前記装置は、軸（Ｃ）に沿って広がる少なくとも１つのピボットモジュール（４００）を更に含み、該少なくとも１つのピボットモジュールを、前記ハウジング内に配設し、該ピボットモジュールは、前記真と協働でき、前記装置は、固着手段（５００）を含み、該固着手段は、前記周囲リムから前記カップの軸中心に向かい延伸する周囲肩部（５０１）を含み、弾性手段を、前記ピボットモジュールと前記周囲肩部との間に配設して、応力を前記ピボットモジュールに作用させる装置であって、
前記弾性手段は、バネ環（３０１）を含み、該バネ環は、該バネ環の中心に向かい延伸する少なくとも１つの径方向延伸部（３０２、３０３）及び反対方向に延伸する少なくとも２つのキャッチ（３０５）を備え、前記周囲肩部は、前記バネ環のバヨネット式取付けを可能にするために、少なくとも１つの切欠き（５０７）を含むこと、及び前記周囲肩部は、前記少なくとも１つの切欠きの片側に、前記弾性手段を回転時に係止可能にする前記ベースカップへと指向する突起（５０９）を含むことを特徴とする、緩衝器装置（１００）。
【請求項２】
前記周囲肩部（５０１）は、３つの切欠き（５０７）を含み、前記バネ環は、３つのキャッチ（３０５）を含むことを特徴とする、請求項１に記載の緩衝器装置（１００）。
【請求項３】
前記弾性手段（３００）は、バネ環（３０１）を含み、該バネ環は、前記ピボットモジュールを前記支持体の前記ハウジング内に圧入するために、前記バネ環（３０１）の軸中心に向かい延伸する少なくとも２本のアームを含むことを特徴とする、請求項１又は２に記載の緩衝器装置（１００）。
【請求項４】
前記少なくとも２本のアーム（３０２）を、直径方向に対向させることを特徴とする、請求項３に記載の緩衝器装置（１００）。
【請求項５】
前記バネ環は、３本の角度的に分布させたアーム（３０２）を含むことを特徴とする、請求項３に記載の緩衝器装置（１００）。
【請求項６】
前記弾性手段（３００）は、バネ環（３０１）を含み、該バネ環（３０１）は、環状部分（３０４）間に配設する径方向延入部（３０３）を含み、該径方向延入部を、前記バネ環の内側に向けて前記バネ環を屈曲して形成する帯片によって形成することを特徴とする、請求項１又は２に記載の緩衝器装置（１００）。
【請求項７】
前記径方向延入部（３０３）を等間隔に分布させることを特徴とする、請求項６に記載の緩衝器装置（１００）。
【請求項８】
前記バネ環は、３つの径方向延入部（３０３）を含むことを特徴とする、請求項６又は７に記載の緩衝器装置（１００）。
【発明の詳細な説明】
【技術分野】
【０００１】
本発明は、時計用ホイールセットの真（ａｒｂｏｒ）用耐衝撃システムに関する。真は、支持体を含むホゾ軸を含み、該支持体は、ホゾ軸を挿入するピボットシステムを受容するハウジングを備える。耐衝撃システムは、該ピボットシステムに少なくとも軸方向の力を加えるように配設する弾性手段を更に含む。
【０００２】
本発明の技術分野は、精密機械学の技術分野である。
【背景技術】
【０００３】
本発明は、時計用軸受、より詳細には緩衝器型の時計用軸受に関する。機械式時計の設計者らは、バネの作用下で真が真の静止位置に戻る前に、ホゾ軸を一時的に移動可能にしながら、真が通過するベースブロックにある穴の壁部に当接することによって、真が衝撃、特に横方向の衝撃から生じるエネルギを吸収できるようにした多くの装置を、長年、考案してきた。
【０００４】
図１及び図２では、市販されている時計で現在使用されている二重逆円錐装置と呼ばれる装置を示している。
【０００５】
支持体１は、その底部に、ホゾ軸３ａで終端するてん真３を通過させるための穴２を含むことにより、取付台（ｓｅｔｔｉｎｇ）２０の位置決めが可能になり、該取付台２０に、ホゾ軸３ａが横断する宝石穴４、及び受石５を固定する。取付台２０を、バネ１０によって支持体１のハウジング６内部に保持し、この例では、バネ１０は、受石５を押圧する径方向延伸部９を含む。支持体１は、円形リム１１を含む回転対称部品である。このリム１１を、開口部１２によって直径方向に対向する２カ所で分断し、それにより２つの半円状リム１１ａ、１１ｂを形成する。開口部１２を、部分的に２つの半円状リム１１ａ、１１ｂに配設し、それにより２カ所の折返し部分を形成する。取付台２０を、バネ１０等の弾性手段によって支持体１のハウジング６内部に保持し、この例では、バネ１０は、受石５を押圧する径方向延伸部９を含む。バネ１０は、軸バネの種類であり、半円状リム１１ａ、１１ｂの折返し部分に取付けられるように、竪琴形状をしている。凹部６は、逆円錐形をした２肩部７、７ａを含み、該肩部７、７ａに、取付台２０の補完的肩部８、８ａを取付ける。上記肩部を、高精度で作製する必要がある。軸方向に衝撃を受けた場合、宝石穴４、受石５及びてん真は、移動し、バネ１０は、てん真３をその初期位置に戻すように、単独で作用する。バネ１０の大きさを、限界を超えると、てん真３が停止部材１４と接触して、てん真３のホゾ軸３ａが壊れかねない衝撃をてん真３が吸収可能となるように、変位を制限する大きさにする。横方向から衝撃を受けた場合、即ち、ホゾ軸の端部が、取付台２０を転倒させて、取付台２０をその取付面から離すと、バネ１０は、取付台２０を再度中心に戻そうとして、相補的傾斜面７、７ａ；８、８ａと協働する。こうした軸受は、例えば、登録商標Ｉｎｃａｂｌｏｃで販売されている。これらのバネを、フィノックス（ｐｈｙｎｏｘ）又は真鍮製としてもよく、従来の切断手段で製造している。
【０００６】
これらの緩衝器システムの一欠点は、取付けが困難であるという点である。実際には、支持体１やバネ１０のような幾つかの部品を、取付け可能にするのに、取付け作業中に、特定の方法で、向きを変えたり、操作したりしなければならない。従って、緩衝器システムの取付けは、最初支持体を取付け、その後宝石付き取付台を取付ける。取付台を、支持体のハウジング内に配置する。次に、竪琴形状をした軸バネを取付ける。軸バネの取付けは、該軸バネが、支持体の半円状リム１１ａ、１１ｂの折返し部分の下部に取付けられるように、操作する。
【発明の概要】
【発明が解決しようとする課題】
【０００７】
本発明の目的は、取付け過程が単純、確実で、自動化できる緩衝器システムを提供するように提案して、従来技術の欠点を解消することである。
【課題を解決するための手段】
【０００８】
そのために、本発明は、支持体を含む時計要素の真用緩衝器装置であり、支持体は、周囲リムが上方に存在するベースカップを含み、周囲リムを、上記カップの反対側で、上面によって画定し、リムは、外壁を含み、上記カップと上記リムとが合わせてハウジングを形成し、該装置は、軸に沿って広がる少なくとも１つのピボットモジュールを更に含み、該少なくとも１つのピボットモジュールを、上記ハウジング内に配設し、該モジュールは、上記真と協働でき、上記装置は、固着手段を含み、該固着手段は、リムからカップの軸中心に向かい延伸する周囲肩部を含み、弾性手段を、ピボットモジュールと肩部との間に配設して、応力をピボットモジュールに作用させる装置であって、
弾性手段は、バネ環を含み、該バネ環は、該環の中心に向かい延伸する少なくとも１つの径方向延伸部及び反対方向に延伸する少なくとも２つのキャッチを備え、上記肩部は、上記バネ環のバヨネット式取付けを可能にするために、少なくとも１つの切欠きを含むこと、及び肩部は、上記少なくとも１つの切欠きの片側に、上記弾性手段を回転時に係止可能にするベースカップへと指向する突起を含むことを特徴とする、緩衝器装置に関する。
【０００９】
第１の有利な実施形態では、肩部は、３つの切欠きを含み、上記バネ環は、３つのキャッチを含む。
【００１０】
第２の有利な実施形態では、上記弾性手段は、バネ環を含み、該環は、上記ピボットモジュールを支持体のハウジング内に圧入するために、上記バネ環の軸中心に向かい延伸する少なくとも２本のアームを含む。
【００１１】
第３の有利な実施形態では、少なくとも２本のアームは、直径方向に対向する。
【００１２】
別の有利な実施形態では、バネ環は、３本の角度的に分布させた弾性アームを含む。
【００１３】
別の有利な実施形態では、上記手段は、バネ環を含み、該バネ環は、環状部分間に配置する径方向延入部を含み、該径方向延入部は、環の内側に向けて環を屈曲して形成する帯片から成る。
【００１４】
別の有利な実施形態では、上記径方向延入部を、等間隔に分布させる。
【００１５】
別の有利な実施形態では、バネ環は、３つの径方向延入部を含む。
【００１６】
本発明による耐衝撃システム又は緩衝器装置の目的、効果及び特徴は、単に非限定的な実施例として提示し、添付図で示した本発明の少なくとも１つの実施形態に関する以下の詳細な説明で、より明確になるであろう。
【図面の簡単な説明】
【００１７】
【図１】既に述べた、従来技術による時計用緩衝器システムの概略図を表す。
【図２】既に述べた、従来技術による時計用緩衝器システムの概略図を表す。
【図３】分解及び組立時の本発明による時計用緩衝器システムの概略図を表す。
【図４】分解及び組立時の本発明による時計用緩衝器システムの概略図を表す。
【図５】本発明による時計用緩衝器システムの弾性手段に関する異なる解決方法を表す。
【図６】本発明による時計用緩衝器システムの弾性手段に関する異なる解決方法を表す。
【発明を実施するための形態】
【００１８】
本発明は、単純で取付けし易い耐衝撃装置又は緩衝器装置を提供し、取付け中の問題が生じる危険性を低減するという一般的な創意から生じたものである。この緩衝器システムを、時計ムーブメントの主面及び／又は少なくとも１本のバーに取付けるように配設する。時計ムーブメントを、裏蓋及びガラスで密閉する中央部分を含む時計の内部に配置する。
【００１９】
図３及び図４は、第１実施形態による緩衝器軸受又は装置１００、或いは耐衝撃システムを表している。この緩衝器装置又は耐衝撃システム１００を、時計ムーブメントのベース要素に取付ける。特に、ムーブメントの主面又はバーを、本発明による耐衝撃システム１００を配置するベース要素とする。この耐衝撃システム１００は、支持体２００を含む。支持体２００は、穴２０２を備えるカップ２０１の形を取り、該カップより上方に周囲リム２０３が存在し、該リムを、上記カップの反対側で、上面２１３によって画定する。また、この周囲リム２０３は、外壁２１４及び内壁２１５を有する。リム２０３とベースカップ２０１とで、ハウジング２０６を形成し、該ハウジング２０６に、ピボットモジュール４００を挿入する。リム２０３とベースカップ２０１を、一体とする又は別個の部品とすることができる。従来のピボットモジュール４００は、取付台４０１、即ち、中央の円形オリフィス、外壁及び内壁を有する部品を含む。その直径が、中央オリフィスの直径と対応する宝石穴４０２を、中央オリフィス内に挿入する。内壁は、受石４０３を固定できる肩部を含む。その後、ピボットモジュール４００を、支持体２００のハウジング２０６内部に配置し、真のホゾ軸と協働させる。
【００２０】
耐衝撃システム１００は、ピボットモジュール４００と協働するように配設した弾性手段３００を含む。これにより、衝撃を吸収可能となり、衝撃が弱まった後に応力が作用すると、ピボットモジュール４００を、その静止位置に復帰可能となる。弾性手段３００を、支持体２００に固定する。好適には、弾性手段３００を、ピボットモジュール４００上にも配置する。耐衝撃システム１００を、その後、ムーブメントの主面にある又はバーの１本にあるオリフィスに挿入する。
【００２１】
弾性手段３００は、例えば、バネ環３０１の形を取る。このバネ環３０１は、偏平型のものである、言い換えると、即ち、厚さより幅が大きい、細片又は帯片の形をしている。バネ環３０１を形成する細片又は帯片は、金属であり、中心軸（Ｃ）に沿って広がる円形である。
【００２２】
図５に見られるこのバネ環３０１の第１実施形態では、弾性手段３００は、円形バネ環３０１の形を取り、バネ環３０１は、該バネ環３０１の軸中心に向かい延伸するアーム３０２を含む。これらのアーム３０２は、直径方向に対向しており、上記ピボットモジュール４００を支持体２００のハウジング２０６内に圧入するのに、使用される。バネ環３０１は、２本、好適には３本のアームを含むことができる。
【００２３】
図６に見られるこのバネ環３０１の第２実施形態では、バネ環３０１は、環状部３０４間に配設する径方向延入部３０３を含む。径方向延入部３０３は、輪３０１の内側に向かい屈曲する帯片で形成する輪３０１から成る。好適には、これらの径方向延入部３０３を、図５に見られるように、バネ環３０１が均一に作用できるように偏平輪３０１の周囲に等間隔に分布させる。従って、バネ環３０１を、支持体２００に対して如何なる方法で指向させてもよいことが分かる。バネ環３０１は、２つ又は好適には３つの径方向延入部を含んでもよい。
【００２４】
弾性手段３００を支持体２００に取付け、固着するのに、バヨネットシステム５００を使用する。かかるバヨネットシステムは、リム２０３から支持体２００の中心に向かい延伸する周囲肩部５０１を含む。この肩部５０１は、支持体２００とリムと共に、保持領域５０３を形成する。また、この保持領域５０３は、周溝５０５も含んでもよく、それにより弾性手段３００を該溝に挿入できるようにする。弾性手段を取付けるために、肩部５０１は、肩部を複数部分に分割するような切欠き５０７を含む。
【００２５】
有利には、バネ環３０１は、該バネ環３０１の軸中心から離隔して延伸するキャッチ３０５を有する。これらのキャッチ３０５を、上記バネ環３０１を保持するように配設する。実際には、バネ環３０１の寸法と肩部５０１の寸法を、キャッチ３０５を肩部５０１の切欠き５０７に挿入できるように、計算する。好適には、切欠きの数を、キャッチの数と同数にする。この数を、３にするのが好ましい。肩部の切欠きにキャッチを挿入することで、上記バネ環を保持領域に挿入できる。その結果、キャッチを肩部５０１下に配置するのに、バネ環を単に回転させる必要があるだけとなる。実際には、バネの取付けは、バネ環を取付けて、該バネ環への応力を出現させるように、ピボットモジュール４００をそのハウジング２０６内に配置しようとするステップの後に行う。この応力は、ピボットモジュール４００によるもので、ピボットモジュール４００は、バネ環をハウジングの外部へと押圧する傾向にあり、それに対して、上記バネ環のキャッチは、肩部と隣接しており、そのため上記バネ環を保持する。勿論、肩部に１つの切欠きのみ有することもできるが、２又は３つのキャッチを持つバネ環を有することもできる。
【００２６】
キャッチ３０５を存在させることで、肩部によって上記バネ環３０１に作用する応力を、応力をキャッチ３０５に止めるように、限定できる。その結果、キャッチ３０５は、受動領域となる、即ち、バネ環３０１の動作に影響を及ぼさない領域となる。そのため、バネ環３０１の初期動作は、バネ環の支持体２００への取付けによって変更されない。
【００２７】
本発明によると、巧みな方法で、肩部５０１の複数部分を、各端部に突起（ｂｅａｋ）５０９を有するように考案している。肩部の各端部に位置するこれらの突起は、バネ環を係止する機能を有する。実際には、運転モードで、緩衝器システムは、バネが多かれ少なかれ応力を受けるように動作する。しかしながら、バネがもはや応力を受けず、それによりバネ環の変位が可能となることが発生し得る。この変位は、バネ環自体の回転運動となるかもしれない。その結果、回転が大き過ぎると、キャッチが切欠きの反対側まで到達する危険性があり、従って、バネ環が外れてしまう危険性がある。従って、突起を存在させて、回転規制部として機能させることによって、この問題を有利に解決する。応力が低い場合にバネ環自体が回転するとき、突起は、止め具（ｓｔｏｐ）として機能し、回転を停止させる。バネ環のキャッチが、切欠きの反対側まで到達することはできず、そのため、バネ環は、ひとりでに外れることはない。
【００２８】
緩衝器軸受１００を配置する支持体２００及びムーブメントの要素を単一部品として作製する、従って、支持体２００とムーブメントの要素を、一体化することを想定できる。このように、ベース要素は、ハウジングを有し、該ハウジングを、穴の穿孔底部を形成するように配設し、ハウジング２０６の内部に、ピボットモジュール４００を配置するように形成することが分かる。また、この第２変形例は、第１変形例と共存してもよいことも分かる。実際には、バー又は主面が如何なる形であってもよいため、取付け領域の構成により、確実に、固着手段を設置でき、そのため確実に、ピボットモジュール４００をハウジングに保持できる。
【００２９】
当業者にとって明白な様々な変更及び／又は改良及び／又は組合せを、上述した本発明の様々な実施形態に対して、付記したクレームで規定する本発明の範囲から逸脱することなしに、行ってもよいことは、明らかである。
【００３０】
実際には、ピボットモジュール４００を単一の宝石で形成できる、又は宝石穴と受石を互いに一体化できる。宝石穴と受石を、一方を他方の内部に押込んでもよい、又は単一片としてもよいことが分かる。こうした可能性により、緩衝器軸受の部品数を抑制できる。
【符号の説明】
【００３１】
１、２００  支持体
２          穴
３          てん真
３ａ        ホゾ軸
４、４０２  宝石穴
５、４０３  受石
６、２０６  ハウジング
７、７ａ    肩部
８、８ａ    補完的肩部
９          径方向延伸部
１０        バネ
１１        リム
１２        開口部
１４        停止部材
２０、４０１  取付台
１００      緩衝器軸受
２０１      カップ
２０３      周囲リム
２１４      外壁
２１５      内壁
３００      弾性手段
３０１      バネ環
３０２      アーム
３０３      径方向延入部
３０４      環状部
３０５      キャッチ
４００      ピボットモジュール
５００      バヨネットシステム
５０１      周囲肩部
５０３      保持領域
５０５      周溝
５０７      切欠き
５０９      突起
【図１】
0006371875.tif 000002
【図２】
0006371875.tif 000003
【図３】
0006371875.tif 000004
【図４】
0006371875.tif 000005
【図５】
0006371875.tif 000006
【図６】
0006371875.tif 000007